【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
第１のバージョンのメディアプログラムを有する第１のビットストリームおよび第２のバージョンのメディアプログラムを有する第２のビットストリームから適応的に選択するようにメディアプレーヤを構成する方法であって、
前記第１のビットストリームは、前記第２のビットストリームと異なるビットレートを有し、
前記第１のビットストリームのビットレートの時間変動性を記述するデータを受信するステップと、
前記第１のビットストリームを通信チャネル上で受信するステップと、
前記通信チャネルのスループットを決定するステップと、
前記通信チャネルのスループットと、受信された前記第１のビットストリームのビットレートの時間変動性を記述するデータと、の比較結果を生成するステップと、
前記生成された比較結果に少なくとも部分的に従って、さらに受信するための第２のビットストリームを選択するステップと、
を備える、方法。
【請求項２】
前記第１のビットストリームのビットレートの時間変動性を記述するデータは、前記第１のビットストリームのビットレートを時間の関数として記述する、請求項１に記載の方法。
【請求項３】
前記第１のビットストリームのビットレートの時間変動性を記述するデータは、前記メディアプログラムの継続期間未満の期間にわたる前記第１のビットストリームの平均ビットレートを備える、請求項１に記載の方法。
【請求項４】
前記メディアプログラムは複数の期間を備え、
前記第１のビットストリームのビットレートの時間変動性を記述するデータは、前記複数の期間の各々に対する前記第１のビットストリームの平均ビットレートを備える、請求項３に記載の方法。
【請求項５】
前記第１のビットストリームのビットレートの時間変動性を記述するデータは、複数の級数係数を備える、請求項１に記載の方法。
【請求項６】
前記方法は、前記第２のビットストリームのビットレートの時間変動性を記述するデータを受信するステップをさらに備え、
前記通信チャネルのスループットと前記受信されたデータとの生成された比較結果は、前記第１のビットストリームのビットレートの時間変動性および前記第２のビットストリームのビットレートの時間変動性と比較される、請求項１に記載の方法。
【請求項７】
前記メディアプレーヤはバッファを備え、
前記第２のビットストリームは、前記バッファの容量と、前記バッファが一杯であることと、に少なくとも部分的に従ってさらに選択される、請求項１に記載の方法。
【請求項８】
前記第１のビットストリームのビットレートの時間変動性を記述するデータおよび前記第２のビットストリームのビットレートの時間変動性を記述するデータは、前記通信チャネル上で前記第１のビットストリームを受信する前に受信される、請求項１に記載の方法。
【請求項９】
前記第２のビットストリームのビットレートの時間変動性を記述するデータは、前記通信チャネル上で前記第１のビットストリームを受信した後に受信される、請求項１に記載の方法。
【請求項１０】
第１のバージョンのメディアプログラムを有する第１のビットストリームおよび第２のバージョンのメディアプログラムを有する第２のビットストリームから適応的に選択する装置であって、
前記第１のビットストリームは、前記第２のビットストリームと異なるビットレートを有し、
前記第１のビットストリームのビットレートの時間変動性を記述するデータを受信するための手段と、
前記第１のビットストリームを通信チャネル上で受信するための手段と、
前記通信チャネルのスループットを決定するための手段と、
前記通信チャネルのスループットと、受信された前記第１のビットストリームのビットレートの時間変動性を記述するデータと、の比較結果を生成するための手段と、
前記生成された比較結果に少なくとも部分的に従って、さらに受信するための第２のビットストリームを選択するための手段と、
を備える、装置。
【請求項１１】
前記第１のビットストリームのビットレートの時間変動性を記述するデータは、前記第１のビットストリームのビットレートを時間の関数として記述する、請求項１０に記載の装置。
【請求項１２】
前記第１のビットストリームのビットレートの時間変動性を記述するデータは、前記メディアプログラムの継続期間未満の期間にわたる第１のビットストリームの平均ビットレートを備える、請求項１０に記載の装置。
【請求項１３】
前記メディアプログラムは複数の期間を備え、
前記第１のビットストリームのビットレートの時間変動性を記述するデータは、前記複数の期間の各々に対する前記第１のビットストリームの平均ビットレートを備える、請求項１２に記載の装置。
【請求項１４】
前記第１のビットストリームのビットレートの時間変動性を記述するデータは、複数の級数係数を備える、請求項１０に記載の装置。
【請求項１５】
前記装置は、前記第２のビットストリームのビットレートの時間変動性を記述するデータを受信するための手段をさらに備え、
前記通信チャネルのスループットと前記受信されたデータとの生成された比較結果は、前記第１のビットストリームのビットレートの時間変動性および前記第２のビットストリームのビットレートの時間変動性と比較される、請求項１０に記載の装置。
【請求項１６】
前記メディアプレーヤはバッファを備え、
前記第２のビットストリームは、前記バッファの容量と、前記バッファが一杯であることと、に少なくとも部分的に従ってさらに選択される、請求項１０に記載の装置。
【請求項１７】
前記第１のビットストリームのビットレートの時間変動性を記述するデータおよび前記第２のビットストリームのビットレートの時間変動性を記述するデータは、前記通信チャネル上で前記第１のビットストリームを受信する前に受信される、請求項１０に記載の装置。
【請求項１８】
前記第２のビットストリームのビットレートの時間変動性を記述するデータは、前記通信チャネル上で前記第１のビットストリームを受信した後に受信される、請求項１０に記載の装置。
【請求項１９】
前記第１のビットストリームのビットレートの時間変動性を記述するデータを受信するための手段は、プロセッサ、および前記第１のビットストリームのビットレートの時間変動性を記述するデータを受信するための命令を格納するメモリを備え、
前記第１のビットストリームを前記通信チャネル上で受信するための手段は、前記プロセッサおよび前記メモリを備え、前記メモリは、前記第１のビットストリームを通信チャネル上で受信するための命令をさらに格納し、
前記通信チャネルのスループットを決定するための手段は、前記プロセッサおよび前記メモリを備え、前記メモリは、前記通信チャネルのスループットを決定するための命令をさらに備え、
前記通信チャネルのスループットと、受信された前記第１のビットストリームのビットレートの時間変動性を記述するデータと、の比較結果を生成するための手段は、前記プロセッサおよび前記メモリを備え、前記メモリは、前記通信チャネルのスループットと、受信された前記第１のビットストリームのビットレートの時間変動性を記述するデータと、の比較結果を生成するための命令をさらに備え、
前記生成された比較結果に少なくとも部分的に従って、さらに受信するための第２のビットストリームを選択するための手段は、前記プロセッサおよび前記メモリを備え、前記メモリは、前記生成された比較結果に少なくとも部分的に従って、さらに受信するための第２のビットストリームを選択するための命令をさらに備える、請求項１０に記載の装置。
【請求項２０】
第１のバージョンのメディアプログラムを有する第１のビットストリームおよび第２のバージョンのメディアプログラムを有する第２のビットストリームから適応的に選択するようにメディアプレーヤを構成する方法であって、
前記第１のビットストリームは、前記第２のビットストリームと異なるビットレートを有し、
前記第１のビットストリームのビットレートの時間変動性を記述するデータを生成するステップと、
前記メディアプログラムに対する要求をユーザデバイスから受信するステップと、
前記第１のビットストリームのビットレートの時間変動性を記述するデータを送信するステップと、
前記第１のビットストリームを通信チャネル上で送信するステップと、
前記第２のビットストリームに対する要求を前記ユーザデバイスから受信するステップと、ここで、前記要求は、受信された前記ビットレートの時間変動性を記述するデータと、前記通信チャネルのスループットと、の比較結果に少なくとも部分的に基づく、
前記第２のビットストリームを前記通信チャネル上で送信するステップと、
を備える、方法。
【請求項２１】
前記第１のビットストリームのビットレートの時間変動性を記述するデータは、前記第１のビットストリームのビットレートを時間の関数として記述する、請求項２０に記載の方法。
【請求項２２】
前記第１のビットストリームのビットレートの時間変動性を記述するデータは、前記メディアプログラムの継続期間未満の期間にわたる前記第１のビットストリームの平均ビットレートを備える、請求項２０に記載の方法。
【請求項２３】
前記メディアプログラムは複数の期間を備え、
前記第１のビットストリームのビットレートの時間変動性を記述するデータは、前記複数の期間の各々に対する前記第１のビットストリームの平均ビットレートを備える、請求項２２に記載の方法。
【請求項２４】
前記第１のビットストリームのビットレートの時間変動性を記述するデータは、複数の級数係数を備える、請求項２０に記載の方法。
【請求項２５】
前記方法は、
前記第２のビットストリームのビットレートの時間変動性を記述する第２のデータを生成するステップと、
前記第２のビットストリームのビットレートの時間変動性を記述するデータを送信するステップと、
をさらに備え、
前記通信チャネルのスループットと前記受信されたデータとの生成された比較結果は、前記第１のビットストリームのビットレートの時間変動性および前記第２のビットストリームのビットレートの時間変動性と比較される、請求項２０に記載の方法。
【請求項２６】
前記メディアプレーヤはバッファを備え、
前記第２のビットストリームは、前記バッファの容量と、前記バッファが一杯であることと、に少なくとも部分的に従ってさらに選択される、請求項２０に記載の方法。
【請求項２７】
前記第１のビットストリームのビットレートの時間変動性を記述するデータおよび前記第２のビットストリームのビットレートの時間変動性を記述するデータは、前記通信チャネル上で前記第１のビットストリームを受信する前に受信される、請求項２０に記載の方法。
【請求項２８】
前記第２のビットストリームのビットレートの時間変動性を記述するデータは、前記通信チャネル上で前記第１のビットストリームを受信した後に受信される、請求項２０に記載の方法。
【手続補正２】
【補正対象書類名】明細書
【補正対象項目名】００９３
【補正方法】変更
【補正の内容】
【００９３】
結論
ここでは、本発明の好ましい複数の実施形態の説明の結論が下される。本発明の好ましい実施形態の以上の説明は、例示および説明のために提示された。本発明の好ましい実施形態の以上の説明は、網羅的なものでも、開示した厳密な形態に本発明を限定するものでもない。以上の教示に照らして、多くの修正および変形が可能である。本発明の範囲は、この詳細な説明によって限定されるものではなく、むしろ本明細書に添付の特許請求の範囲によって限定されるものである。上記の説明、例およびデータは、本発明の製造、および組成物の用途の完全な説明を提供する。本発明の多くの実施形態は、本発明の精神および範囲を逸脱することなく作成することができるので、本発明は、以下に添付される特許請求の範囲にある。
以下に、本願出願時の特許請求の範囲に記載された発明を付記する。
[１]第１のバージョンのメディアプログラムを有する第１のビットストリームおよび第２のバージョンの前記メディアプログラムを有する第２のビットストリームから適応的に選択するようにメディアプレーヤを構成する方法であって、前記第１のビットストリームは、前記第２のビットストリームと異なるビットレートを有する方法であって、
前記第１のビットストリームの前記ビットレートの時間変動性を記述するデータを受信することと、
前記第１のビットストリームを通信チャネル上で受信することと、
前記通信チャネルのスループットを判定することと、
前記通信チャネルの前記スループットと前記第１のビットストリームの前記ビットレートの前記時間変動性を記述する前記受信されたデータとの比較結果を生成することと、
前記生成された比較結果に少なくとも部分的に従って、さらに受信するための前記第２のビットストリームを選択することと、
の各ステップを備える方法。
[２]前記第１のビットストリームの前記ビットレートの前記時間変動性を記述する前記データは、前記第１のビットストリームの前記ビットレートを時間の関数として記述する、前記[１]に記載の方法。
[３]前記第１のビットストリームの前記時間変動性ビットレートを記述する前記データは、前記メディアプログラムの継続期間未満の期間にわたる前記第１のビットストリームの平均ビットレートを備える、前記[１]に記載の方法。
[４]前記メディアプログラムは複数の時間期間を備え、前記第１のビットストリームの前記ビットレートの前記時間変動性を記述する前記データは、前記複数の時間期間の各々に対する前記第１のビットストリームの平均ビットレートを備える、前記[３]に記載の方法。
[５]前記第１のビットストリームの前記ビットレートの前記時間変動性を記述する前記データは、複数の級数係数を備える、前記[１]に記載の方法。
[６]前記方法は、前記第２のビットストリームの前記ビットレートの前記時間変動性を記述するデータを受信するステップをさらに備え、
前記複数の通信のチャネルの前記スループットと前記受信されたデータとの前記生成された比較結果は、前記第１のビットストリームの前記ビットレートの前記時間変動性および前記第２のビットストリームの前記時間変動性ビットレートと比較される、前記[１]に記載の方法。
[７]前記メディアプレーヤはバッファを備え、前記第２のビットストリームは、前記バッファの容量、および前記バッファが一杯であることに少なくとも部分的に従ってさらに選択される、前記[１]に記載の方法。
[８]前記第１のビットストリームの前記ビットレートの前記時間変動性を記述する前記データおよび前記第２のビットストリームの前記ビットレートの前記時間変動性を記述する前記データは、前記通信チャネル上で前記第１のビットストリームを受信する前に受信される、前記[１]に記載の方法。
[９]前記第２のビットストリームの前記ビットレートの前記時間変動性を記述する前記データは、前記通信チャネル上で前記第１のビットストリームを受信した後に受信される、前記[１]に記載の方法。
[１０]第１のバージョンのメディアプログラムを有する第１のビットストリームおよび第２のバージョンの前記メディアプログラムを有する第２のビットストリームから適応的に選択する装置であって、前記第１のビットストリームは、前記第２のビットストリームと異なるビットレートを有する装置であって、
前記第１のビットストリームの前記ビットレートの時間変動性を記述するデータを受信するための手段と、
前記第１のビットストリームを通信チャネル上で受信するための手段と、
前記通信チャネルのスループットを判定するための手段と、
前記通信チャネルの前記スループットと前記第１のビットストリームの前記ビットレートの前記時間変動性を記述する前記受信されたデータとの比較結果を生成するための手段と、
前記生成された比較結果に少なくとも部分的に従って、さらに受信するための前記第２のビットストリームを選択するための手段と、
を備える装置。
[１１]前記第１のビットストリームの前記ビットレートの前記時間変動性を記述する前記データは、前記第１のビットストリームの前記ビットレートを時間の関数として記述する、前記[１０]に記載の装置。
[１２]前記第１のビットストリームの前記時間変動性ビットレートを記述する前記データは、前記メディアプログラムの継続期間未満の期間にわたる第１のビットストリームの平均ビットレートを備える、
前記[１０]に記載の装置。
[１３]前記メディアプログラムは複数の時間期間を備え、前記第１のビットストリームの前記ビットレートの前記時間変動性を記述する前記データは、前記複数の時間期間の各々に対する前記第１のビットストリームの平均ビットレートを備える、前記[１２]に記載の装置。
[１４]前記第１のビットストリームの前記ビットレートの前記時間変動性を記述する前記データは、複数の級数係数を備える、前記[１０]に記載の装置。
[１５]前記装置は、前記第２のビットストリームの前記ビットレートの前記時間変動性を記述するデータを受信するための手段をさらに備え、
前記複数の通信のチャネルの前記スループットと前記受信されたデータとの前記生成された比較結果は、前記第１のビットストリームの前記ビットレートの前記時間変動性および前記第２のビットストリームの前記時間変動性ビットレートと比較される、前記[１０]に記載の装置。
[１６]前記メディアプレーヤはバッファを備え、前記第２のビットストリームは、前記バッファの容量、および前記バッファが一杯であることに少なくとも部分的に従ってさらに選択される、前記[１０]に記載の装置。
[１７]前記第１のビットストリームの前記ビットレートの前記時間変動性を記述する前記データおよび前記第２のビットストリームの前記ビットレートの前記時間変動性を記述する前記データは、前記通信チャネル上で前記第１のビットストリームを受信する前に受信される、前記[１０]に記載の装置。
[１８]前記第２のビットストリームの前記ビットレートの前記時間変動性を記述する前記データは、前記通信チャネル上で前記第１のビットストリームを受信した後に受信される、前記[１０]に記載の装置。
[１９]前記第１のビットストリームの前記ビットレートの前記時間変動性を記述するデータを受信するための前記手段は、プロセッサ、および前記第１のビットストリームの前記ビットレートの前記時間変動性を記述するデータを受信するための複数の命令を格納するメモリを備え、
前記第１のビットストリームを前記通信チャネル上で受信するための前記手段は、前記プロセッサおよび前記メモリを備え、前記メモリは、前記第１のビットストリームを通信チャネル上で受信するための複数の命令をさらに格納し、
前記通信チャネルの前記スループットを判定するための前記手段は、前記プロセッサおよび前記メモリを備え、前記メモリは、前記通信チャネル上のスループットを判定するための複数の命令をさらに備え、
前記通信チャネルの前記スループットと前記第１のビットストリームの前記ビットレートの前記時間変動性を記述する前記データとの前記比較結果を生成するための前記手段は、前記プロセッサおよび前記メモリを備え、前記メモリは、前記通信チャネルの前記スループットと前記第１のビットストリームの前記時間変動性ビットレートを記述する前記受信されたデータとの比較結果を生成するための複数の命令をさらに備え、
前記生成された比較結果に少なくとも部分的に従って、さらに受信するための前記第２のビットストリームを選択するための前記手段は、前記プロセッサおよび前記メモリを備え、前記メモリは、前記生成された比較結果に少なくとも部分的に従って、さらに受信するための前記第２のビットストリームを選択するための複数の命令をさらに備える、前記[１０]に記載の装置。
[２０]第１のバージョンのメディアプログラムを有する第１のビットストリームおよび第２のバージョンの前記メディアプログラムを有する第２のビットストリームから適応的に選択するようにメディアプレーヤを構成する方法であって、前記第１のビットストリームは、前記第２のビットストリームと異なるビットレートを有する方法であって、
前記第１のビットストリームの前記ビットレートの前記時間変動性を記述するデータを生成することと、
前記メディアプログラムの要求をユーザデバイスから受信することと、
前記第１のビットストリームの前記ビットレートの前記時間変動性を記述する前記データを送信することと、
前記第１のビットストリームを通信チャネル上に送信することと、
前記第２のビットストリームの要求を前記ユーザデバイスから受信することであって、前記要求は、前記ビットレートの前記時間変動性を記述する前記受信されたデータと前記複数の通信のチャネルのスループットとの比較結果に少なくとも部分的に基づくことと、
前記第２のビットストリームを前記複数の通信のチャネル上で送信することと、
の各ステップを備える方法。
[２１]前記第１のビットストリームの前記ビットレートの前記時間変動性を記述する前記データは、前記第１のビットストリームの前記ビットレートを時間の関数として記述する、前記[２０]に記載の方法。
[２２]前記第１のビットストリームの前記時間変動性ビットレートを記述する前記データは、前記メディアプログラムの継続期間未満の期間にわたる前記第１のビットストリームの平均ビットレートを備える、前記[２０]に記載の方法。
[２３]前記メディアプログラムは複数の期間を備え、前記第１のビットストリームの前記ビットレートの前記時間変動性を記述する前記データは、前記複数の期間の各々に対する前記第１のビットストリームの平均ビットレートを備える、前記[２２]に記載の方法。
[２４]前記第１のビットストリームの前記ビットレートの前記時間変動性を記述する前記データは、複数の級数係数を備える、前記[２０]に記載の方法。
[２５]前記方法は、
前記第２のビットストリームの前記ビットレートの前記時間変動性を記述する第２のデータを生成することと、
前記第２のビットストリームの前記ビットレートの前記時間変動性を記述するデータを送信することと、
の各ステップをさらに備え、前記複数の通信のチャネルの前記スループットと前記受信されたデータとの前記生成された比較結果は、前記第１のビットストリームの前記ビットレートの前記時間変動性および前記第２のビットストリームの前記時間変動性ビットレートと比較される、前記[２０]に記載の方法。
[２６]前記メディアプレーヤはバッファを備え、前記第２のビットストリームは、前記バッファの容量、および前記バッファが一杯であることに少なくとも部分的に従ってさらに選択される、前記[２０]に記載の方法。
[２７]前記第１のビットストリームの前記ビットレートの前記時間変動性を記述する前記データおよび前記第２のビットストリームの前記ビットレートの前記時間変動性を記述する前記データは、前記通信チャネル上で前記第１のビットストリームを受信する前に受信される、前記[２０]に記載の方法。
[２８]前記第２のビットストリームの前記ビットレートの前記時間変動性を記述する前記データは、前記通信チャネル上で前記第１のビットストリームを受信した後に受信される、前記[２０]に記載の方法。
[２９]第１のバージョンのメディアプログラムを有する第１のビットストリームおよび第２のバージョンの前記メディアプログラムを有する第２のビットストリームから適応的に選択するようにメディアプレーヤを構成する装置であって、前記第１のビットストリームは、前記第２のビットストリームと異なるビットレートを有する装置であって、
前記第１のビットストリームの前記ビットレートの前記時間変動性を記述するデータを生成するための手段と、
前記メディアプログラムの要求をユーザデバイスから受信するための手段と、
前記第１のビットストリームの前記ビットレートの前記時間変動性を記述する前記データを送信するための手段と、
前記第１のビットストリームを通信チャネル上に送信するための手段と、
前記第２のビットストリームの要求を前記ユーザデバイスから受信するための手段であって、前記要求は、前記ビット・レート・データの前記時間変動性を記述する前記受信されたデータと前記複数の通信のチャネルのスループットとの比較結果に少なくとも部分的に基づく手段と、
前記第２のビットストリームを前記複数の通信のチャネル上で送信する手段と、
を備える装置。
[３０]前記第１のビットストリームの前記ビットレートの前記時間変動性を記述する前記データは、前記第１のビットストリームの前記ビットレートを時間の関数として記述する、前記[２９]に記載の装置。
[３１]前記第１のビットストリームの前記時間変動性ビットレートを記述する前記データは、前記メディアプログラムの継続期間未満の期間にわたる前記第１のビットストリームの平均ビットレートを備える、前記[２９]に記載の装置。
[３２]前記メディアプログラムは複数の時間期間を備え、前記第１のビットストリームの前記ビットレートの前記時間変動性を記述する前記データは、前記複数の時間期間の各々に対する前記第１のビットストリームの平均ビットレートを備える、前記[３１]に記載の装置。
[３３]前記第１のビットストリームの前記ビットレートの前記時間変動性を記述する前記データは、複数の級数係数を備える、前記[２９]に記載の装置。
[３４]前記装置は、
前記第２のビットストリームの前記ビットレートの前記時間変動性を記述する第２のデータを生成するための手段と、
前記第２のビットストリームの前記ビットレートの前記時間変動性を記述するデータを送信するための手段と、
をさらに備え、前記複数の通信のチャネルの前記スループットと前記受信されたデータとの前記生成された比較結果は、前記第１のビットストリームの前記ビットレートの前記時間変動性および前記第２のビットストリームの前記時間変動性ビットレートと比較される、前記[２９]に記載の装置。
[３５]前記メディアプレーヤはバッファを備え、前記第２のビットストリームは、前記バッファの容量、および前記バッファが一杯であることに少なくとも部分的に従ってさらに選択される、前記[２９]に記載の装置。
[３６]前記第１のビットストリームの前記ビットレートの前記時間変動性を記述する前記データおよび前記第２のビットストリームの前記ビットレートの前記時間変動性を記述する前記データは、前記通信チャネル上で前記第１のビットストリームを受信する前に受信される、前記[２９]に記載の装置。
[３７]前記第２のビットストリームの前記ビットレートの前記時間変動性を記述する前記データは、前記通信チャネル上で前記第１のビットストリームを受信した後に受信される、前記[２９]に記載の装置。
[３８]前記第１のビットストリームの前記ビットレートの前記時間変動性を記述するデータを生成するための前記手段は、プロセッサ、および前記第１のビットストリームの前記ビットレートの前記時間変動性を記述する前記データを生成するための複数の命令を格納するメモリを備え、
前記メディアプログラムの前記要求を前記ユーザデバイスから受信するための前記手段、および前記第２のビットストリームの要求を前記ユーザデバイスから受信するための手段は、前記プロセッサを備え、前記メモリは、前記メディアプログラムの前記要求を前記ユーザデバイスから受信するための、および前記第２のビットストリームの要求を前記ユーザデバイスから受信するための複数の命令をさらに格納し、
前記第１のビットストリームの前記ビットレートの前記時間変動性を記述する前記データを送信するための前記手段、前記第１のビットストリームを通信チャネル上に送信するための前記手段、および前記第２のビットストリームを前記複数の通信のチャネル上に送信するための手段は、前記プロセッサ、ならびに前記第１のビットストリームの前記ビットレートの前記時間変動性を記述する前記データを送信するため、および前記第１のビットストリームを前記通信チャネル上に送信するため、および前記第２のビットストリームを複数の通信のチャネル上に送信するための複数の命令をさらに格納するメモリを備える、前記[２９]に記載の装置。